(57)【要約】【課題】針金を芯に通した筒状テープのみの使用でも製造可能である、非常に変化に富んだ装飾品を提供する。【解決手段】長手方向全体に針金を通した筒状テープ１を使用してなるものであって、多数本の前記筒状テープ１を組んで面２を形成し、その外周端部に、前記筒状テープのテープを絞って皺を寄せたものを、前記面の周囲を覆うように、組み込み、この外周端部のテープ１ａと交差する各筒状テープの突出端部を、該外周端部のテープ１ａを覆うように、互い違いに折り曲げて、縁を仕上げることにより皿状や籠状等の装飾品の製造が可能となる。また、前記筒状テープを絞って皺を寄せた状態で、前記テープの幅より細い棒体に巻き付けた後、該棒体を抜いて、中心部に空洞のあるバラ様造花とし、前記テープの最終端を留め具として使用できる造花状の装飾品とすることも可能である。【選択図】　図１
2004082562.tif 000002
【特許請求の範囲】
【請求項１】
長手方向全体に針金を通した筒状テープを使用してなるものであって、多数本の前記筒状テープを組んで面を形成し、その外周端部に、前記筒状テープのテープを絞って皺を寄せたものを、前記面の周囲を覆うように、組み込み、この外周端部のテープと交差する各筒状テープの突出端部を、該外周端部のテープを覆うように、互い違いに折り曲げて、縁を仕上げたことを特徴とする筒状テープを使用した装飾品。
【請求項２】
長手方向全体に針金を通した筒状テープを使用してなるものであって、前記筒状テープを絞って皺を寄せた状態で、前記テープの幅より細い棒体に巻き付けた後、該棒体を抜いて、中心部に空洞のあるバラ様造花とし、前記テープの一端部を留め具として使用するようにしたことを特徴とする筒状テープを使用した装飾品。
【請求項３】
前記テープの一端部を、前記空洞と直角をなす空洞を形成するように複数回コイル状に巻き、紐通し用の留め具としたことを特徴とする請求項２の装飾品。
【請求項４】
筒状テープが柄状の紙又は布からなることを特徴とする請求項１〜３いずれか１項の装飾品。
【発明の詳細な説明】
【０００１】
【発明の属する技術分野】
本発明は、針金を芯に通した筒状テープを使用した装飾品に関する。
【０００２】
【従来の技術】
針金を通した筒状テープを使用した装飾品については、本願出願人の出願になる特開平１０−２３６０９７号公報、特開２０００−１１００５６号公報、特開２００１−１８０１９６号公報等が存在する。
しかし、これらの公報に開示される方法では、針金を通した筒状テープ単独で、変化に富んだ製品を得ることは困難であった。
【０００３】
【発明が解決しようとする課題】
本発明は、針金を芯に通した筒状テープのみの使用でも製造可能である、非常に変化に富んだ装飾品を提供することを課題とする。
【０００４】
【課題を解決するための手段】
本発明では、長手方向全体に針金を通した筒状テープを多数本、組んで面を形成し、その外周端部に、前記筒状テープのテープを絞って皺を寄せたものを、前記面の周囲を覆うように、組み込み、この外周端部のテープと交差する各筒状テープの突出端部を、該外周端部のテープを覆うように、互い違いに折り曲げて、縁を仕上げることにより、皿状又は籠状等の変化に富んだ装飾品の提供を可能とする。
【０００５】
筒状テープの材質は、特に限定されないが、印捺模様を有する紙や布を使用するのが好ましく、特に和紙を使用するのが効果的である。
また筒状テープの幅は、４〜１２ｍｍ程度、特に５〜１０ｍｍ程度であるのが製品の外観及び安定性等の点から好ましい。
【０００６】
なお、面を形成するための、針金を芯に通した筒状テープの組み方は、織物の組織と同様でよく、平織、あや織、朱子織等のいずれが使用されてもよいが、最も簡単な方法は平織組織であり、本発明では、平織組織でも、筒状テープの組み合わせにより、非常に変化に富んだ製品を得ることができる。
【０００７】
例えば、筒状テープは太さの異なるものを組み合わせて使用してもよく、また、大部分は平面状のまま使用するが、一部皺をよせて絞ったものを組み合わせて使用したり、前記針金を芯に通した筒状テープを一部捩じったものを使用することにより、組み組織を安定化させ、しかも意匠効果を高めることができ、好都合である。
【０００８】
かかる本発明では、面の周囲を覆うように使用される外周端部のテープを、筒状テープを針金表面でずらして皺をよせて絞ったものとすることにより、該テープと交差する他の筒状テープの端部を、滑りなく、安定して、折り曲げ固定することができ、品質のよい装飾品を得ることが可能となる。
【０００９】
なお、本発明では、筒状テープの全長に渡って針金が入っているため、非常に形状安定性のよい装飾品を、容易に製造できるのであるが、針金としては、製品として外観に感知されない太さ、例えば直径１ｍｍ以下、０．３〜０．８ｍｍ程度で十分である。
【００１０】
次に、本発明では、前述の如き、長手方向全体に針金を通した筒状テープに使用して、種々の装飾品に容易に装着できる造花を容易に製造できる。この造花は、筒状テープを絞って皺を寄せた状態で、テープの幅より細い棒体、例えばテープの幅の１０〜５０％程度の太さの棒体に巻き付けた後、該棒体を抜いて、中心部に空洞のあるバラ様造花とし、前記テープの端部を留め具として使用するようにするのである。なお、留め具としては、中心端部（すなわち、巻き付け開始側の端部）を使用するのが好ましい。
【００１１】
この造花は、前記テープの端部を、それを装着しようとする装飾品に巻き付けて固定可能であるが、該端部を前記空洞と直角をなす空洞を形成するように複数回コイル状に巻き、紐通し用の留め具とすることにより、ネックレス等の装飾品として非常に美しく、使用可能することもできる。
【００１２】
【発明の実施の形態】
次に、本発明の実施例を図面に従って説明する。
図１の製品は、和紙（千代紙）を折り曲げて形成した筒状テープ１を組み合わせて皿状装飾品を得る状態の一部を示すもので、Ａは仕上げ直前の状態、Ｂは製品の状態を示している。
この例では、筒状テープ１として、幅１０ｍｍのテープと幅７ｍｍのテープを組み合わせて使用し、また一部のテープは捩じったり、皺を寄せたりして使用している。なお、いずれの筒状テープ１にも、直径０．７ｍｍの針金が挿入されている。
これらの筒状テープ１は、平織組織で組んで、面２を形成し、その外周端部に、筒状テープを絞って皺を寄せたもの（皺状テープ１ａ）を、前記面２の周囲を覆うように、組み込み、この外周端部のテープ１ａと交差する各筒状テープ１の突出端部３を、該外周端部のテープ１ａを覆うように、互い違いに折り曲げて、縁を仕上げることにより、装飾効果に富み、しかも形状安定性ある装飾品を得ることができた。
【００１３】
次に、図２の例は、図１の例と同様の方法で、籠状の装飾品を製造したものである。まず、幅８ｍｍの和紙製の筒状テープ１を平織組織に組み込んで、底を形成し、該底を形成した筒状テープ１を立ち上げて、これらに、幅５ｍｍの筒状テープ１ｂを環状にして、やはり平織組織に組み込み、側面を形成したものであり、この横方向に使用する筒状テープ１ｂは、装飾性及び形状安定性の点から皺を寄せたものや、捩じったものを一部使用した。
なお、外周端は、図１の例と同様、外周端部のテープ１ｃから突出したテープ１の端部を、外周端部のテープ１ｃを覆うように折り曲げて、仕上げている。
また、前面には、幅５ｍｍの筒状テープ１ｂからなる装飾品が装着されている。造花４は、図３の例と同様の方法で形成されたものであり、これをリボン状の装飾品と共に装着したのである。いずれの装飾品も針金の入った筒状テープからなるので、非常に安定して、装飾性よく装着されている。
かかる製品は、全体に、同一の装飾性ある和紙から構成されるため、従来になっく、外観に優れたものであり、また、針金の全体に存在することから、任意に開口部の形状等を変形可能であるという利点もある。
【００１４】
図３の例は、造花４に関するものであるが、この例では、針金５を通した、幅８ｍｍの和紙製の筒状テープ１を、絞って皺を寄せ、皺状テープ１ａとし、それを、直径２ｍｍの棒体（竹串）に巻き付けて製造したものであり、造花４は、棒体を抜いた空洞６が、花芯を構成するように中央に存在し、テープ１ａの皺が美しい花弁を構成するものである。テープ１ａは、巻きはじめの端部７を、数ｃｍ残しておき、この端部７を他の装飾品への留め具として使用可能とする（図４Ａ参照）。例えば、図１や図２の製品の適当なテープにに、この端部７を捩じって容易に留め付けることができる。
更に、この造花４は、その端部７を、図３のＢに示すように、前記空洞６と実質的に直角をなす方向に空洞６ａを形成するように、数回コイル状に巻き付け、この空洞６ａを紐通り孔とすることにより、ネックレス等の使用し易くすることが可能となる。
なお、Ｂの製品は、テープ１ａの一端を棒体に数回巻き付け、その後、この巻き付け部分に直交するようにもう一本の棒体を添え、後者の棒体に残りのテープ１ａを巻き付けて、バラ様造花となし、その後に、二本の棒体を引き抜くことによって、容易に得ることができる（図４Ｂ参照）。
【００１５】
更に、テープ１ａの中央部を第一の棒体に数回巻き付け、その後、該棒体に直交させて第二の棒体を添え、この第二の棒体の前後に、テープ１ａの前後の部分をそれぞれ巻き付けで、２個にバラ様造花を形成することにより、中央に紐通し孔を有するダブルローズを形成することも可能である。
【００１６】
このような本発明の製品は、図柄を表した紙や布を使用した筒状テープを使用することにより、それら単独で、非常に装飾性ある製品となすことができ、比較的安価で、かつ容易に、変化に富んだ製品を得ることができる。
なお、形状安定性をより高める点、及び耐水性や防汚性等の点から、製品表面には、透明樹脂等でコーティングして、表面仕上げしてもよい。
【００１７】
【発明の効果】
本発明では、針金を通した筒状テープを使用しただけで、容易に、非常に変化に富んだ装飾品の提供が可能となる。更に、本発明の製品は、針金の存在及び皺をよせた筒状テープの使用により、形状安定性に優れており、また、適当な範囲で、形状を変形使用することも可能である。
【図面の簡単な説明】
【図１】図１は、本発明の一例の製造例を示す要部平面図である。
【図２】図２は、本発明の一例を示す斜視図である。
【図３】図３は、本発明の一例の製造工程を示す説明図である。
【図４】図４は、本発明の造花の製造方法を説明する図面である。
【符号の説明】
１、１ａ、１ｂ、１ｃ　テープ
２　　　　面
３　　　　樹脂発泡体
４　　　　造花
５　　　　針金
６、６ａ　空洞
７　　　　端部
８　　　　棒体
【図１】
2004082562.tif 000003
【図２】
2004082562.tif 000004
【図３】
2004082562.tif 000005
【図４】
2004082562.tif 000006